【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
ハンドピースと、前記ハンドピースの近位に接続されるための管とを有する医療装置において使用するための管類アタッチメントシステムであって、前記管類アタッチメントシステムは、
近位端、遠位端、および外部表面を有する管類アタッチメント構成要素であって、前記管類アタッチメント構成要素は、前記管に取り付けられるように構成される近位端部分、前記ハンドピースに取り付けられるように構成される遠位端部分、前記遠位端から前記近位端まで延在する貫通ボア、および前記近位端部分と前記遠位端部分との間の外部表面上の円周方向溝を含む、管類アタッチメント構成要素と、
内部フレーム表面、外部フレーム表面、および前記管類アタッチメント構成要素を受容するためのフレーム開口部を有するフレームを含む捕捉構成要素であって、前記フレームは、前記内部フレーム表面から内向きに延在する少なくとも１つの係止突出部を含む、捕捉構成要素と
を備え、
前記フレームおよび前記少なくとも１つの係止突出部は、前記円周方向溝内に嵌合し、外力が印加されると、前記管類アタッチメント構成要素を中心として前記円周方向溝内で回転可能であり、前記管類アタッチメント構成要素をそのような外力の不在下において所望の回転位置に摩擦係止するように構成される、管類アタッチメントシステム。
【請求項２】
前記捕捉構成要素は、接触表面が内向きに面した状態で、前記フレームの内部フレーム表面上に配置される前記係止突出部のうちの少なくとも３つを有する、請求項１に記載の管類アタッチメントシステム。
【請求項３】
前記外力は、ユーザによって意図的に印加され、前記フレームを前記管類アタッチメント構成要素を中心として回転させるか、または、前記管類アタッチメント構成要素の近位端部分に取り付けられる前記管のコイリングによって生じる、請求項１に記載の管類アタッチメントシステム。
【請求項４】
前記管のコイリングは、前記外力を生成し、前記捕捉構成要素を前記管類アタッチメント構成要素を中心として回転させ、それによって、前記管類アタッチメントシステムが中立位置に自己調節し、前記前記管のコイリングを軽減させる、請求項１に記載の管類アタッチメントシステム。
【請求項５】
前記近位端部分は、前記管を固着するための半径方向外向きに延在する返しに遷移する円錐形本体を含み、前記遠位端部分は、前記ハンドピース上の対応する継手に係合するための継手を含む、請求項１に記載の管類アタッチメントシステム。
【請求項６】
前記管類アタッチメント構成要素はさらに、前記円錐形本体と前記継手との間のフランジを含み、前記フランジは、前記円周方向溝のレールを形成する、請求項５に記載の管類アタッチメントシステム。
【請求項７】
前記捕捉構成要素はさらに、前記外部フレーム表面から外向きに延在し、別の管を保持するためのチャネルを形成する一対のアームを含む、請求項１に記載の管類アタッチメントシステム。
【請求項８】
医療装置との組み合わせにおける管類アタッチメントシステムであって、前記医療装置は、超音波外科手術用装置である、請求項１に記載の管類アタッチメントシステム。
【請求項９】
ハンドピースと、管とを含む医療装置であって、前記管は、スイベルジョイントを通して前記ハンドピースに接続され、前記管が、前記管の軸方向変位を伴わずに、前記ハンドピースに対して円周方向に回転することを可能にし、
前記スイベルジョイントは、
縦方向貫通ボアと外部フレーム表面上の円周方向溝とを含む管類アタッチメント構成要素と、
フレーム開口部と前記フレームの内部フレーム表面から内向きに延在する少なくとも１つの係止突出部とを伴うフレームを含む捕捉構成要素と
を含み、
前記フレームの少なくとも１つの係止突出部は、前記管類アタッチメント構成要素の円周方向溝の中にスナップ嵌合され、前記管類アタッチメント構成要素を中心として前記円周方向溝内で回転し、
前記円周方向溝に係合する前記少なくとも１つの係止突出部は、前記管類アタッチメント構成要素が、外力がそれに印加されるときに回転し、前記外力の不在下において所望の回転位置に固定されることを可能にする、医療装置。
【請求項１０】
前記捕捉構成要素は、前記フレームの内部フレーム表面から半径方向内向きに延在する少なくとも３つの係止突出部を有する、請求項９に記載の医療装置。
【請求項１１】
前記管類アタッチメント構成要素はさらに、前記管類アタッチメント構成要素の外部フレーム表面から延在するフランジを含む、請求項９に記載の医療装置。
【請求項１２】
前記捕捉構成要素はさらに、前記外部フレーム表面から外向きに延在し、別の管を保持するためのチャネルを形成する一対のアームを含む、請求項９に記載の医療装置。
【請求項１３】
前記スイベルジョイントは、前記管が、捻転されると、中立位置に自己調節し、前記管の捻転を軽減させることを可能にする、請求項９に記載の医療装置。
【請求項１４】
請求項９に記載の医療装置であって、前記医療装置は、超音波外科手術用装置であり、前記管は、潅注管または吸引管である、医療装置。
【請求項１５】
ハンドピースと、前記ハンドピースの近位に接続されるための吸引管とを有する、超音波外科手術用装置と併用するための管類アタッチメントシステムであって、前記管類アタッチメントシステムは、
縦方向貫通ボアおよび外部フレーム表面上の円周方向溝を含む管類アタッチメント構成要素であって、前記管類アタッチメント構成要素は、前記吸引管に取り付けられるように構成される近位端部分および前記ハンドピースに取り付けられるように構成される遠位端部分を含む、管類アタッチメント構成要素と、
正面側および対向する背面側および前記正面側と前記背面側との間に延在する縦方向フレーム開口部を有するフレームを含む捕捉構成要素であって、前記縦方向フレーム開口部は、複数の係止突出部によって画定され、各係止突出部は、近位端および遠位遊離端を有し、前記近位端は、前記正面側に隣接する前記フレームから突出し、前記遠位遊離端は、前記背面側に隣接し、前記各係止突出部は、前記正面側から前記背面側へと前記縦方向フレーム開口部を狭める、捕捉構成要素と
を含み、
前記フレームの正面側と前記複数の係止突出部の遠位遊離端との間のフレームは、前記管類アタッチメント構成要素を中心とした前記捕捉構成要素の回転を可能にしながら、前記管類アタッチメント構成要素の円周方向溝の縦方向空間の間に縦方向に保持され、
前記複数の係止突出部は、閾値外力が前記管類アタッチメント構成要素に印加されると、前記捕捉構成要素が前記管類アタッチメント構成要素を中心として回転することを可能にする、管類アタッチメントシステム。
【請求項１６】
前記捕捉構成要素はさらに、１つ以上の管を保持するための前記縦方向フレーム開口部から離れた半径方向位置におけるチャネルを含む、請求項１５に記載の管類アタッチメントシステム。
【請求項１７】
前記管類アタッチメント構成要素の近位端部分に接続されるハンドピースおよび吸引管を有する、超音波外科手術用装置との組み合わせにおける、請求項１５に記載の管類アタッチメントシステム。
【請求項１８】
前記管類アタッチメント構成要素はさらに、前記管類アタッチメント構成要素の外部フレーム表面から延在する少なくとも１つのフランジを含み、前記円周方向溝の縦方向空間を画定する、請求項１５に記載の管類アタッチメントシステム。
【請求項１９】
前記係止突出部はそれぞれ、前記係止突出部の前記近位端から前記遠位遊離端まで延在する、内向きに面した接触表面を含む、請求項１５に記載の管類アタッチメントシステム。
【手続補正２】
【補正対象書類名】明細書
【補正対象項目名】００２６
【補正方法】変更
【補正の内容】
【００２６】
本発明の実施形態の他の特徴および利点は、付随の例示的図面と関連して検討されるとき、以下の発明を実施するための形態からより明白となるであろう。
本発明は、例えば、以下を提供する。
（項目１）
ハンドピースと、前記ハンドピースの近位に接続されるための管とを有する、医療装置において使用するための管類アタッチメントシステムであって、前記管類アタッチメントシステムは、
近位端、遠位端、および外部表面を有する管類アタッチメント構成要素であって、前記管類アタッチメント構成要素は、前記管に取り付けられるように構成される近位端部分、前記ハンドピースに取り付けられるように構成される遠位端部分、前記遠位端から前記近位端まで延在する貫通ボア、および前記近位端部分と前記遠位端部分との間の外部表面上の円周方向溝を含む、管類アタッチメント構成要素と、
内部フレーム表面、外部フレーム表面、および前記管類アタッチメント構成要素を受容するためのフレーム開口部を有するフレームを含む、捕捉構成要素であって、前記フレームは、前記内部フレーム表面から内向きに延在する少なくとも１つの係止突出部を含む、捕捉構成要素と
を備え、前記フレームおよび前記少なくとも１つの係止突出部は、前記円周方向溝内に嵌合し、外力が印加されると、前記管類アタッチメント構成要素を中心として前記円周方向溝内で回転可能であり、前記管類アタッチメント構成要素をそのような外力の不在下において所望の回転位置に摩擦係止するように構成される、管類アタッチメントシステム。
（項目２）
前記捕捉構成要素は、接触表面が内向きに面した状態で、前記フレームの内部フレーム表面上に配置される前記係止突出部のうちの少なくとも３つを有する、項目１に記載の管類アタッチメントシステム。
（項目３）
前記外力は、ユーザによって意図的に印加され、前記フレームを前記管類アタッチメント構成要素を中心として回転させるか、または、前記管類アタッチメント構成要素の近位端部分に取り付けられる前記管のコイリングによって生じる、項目１−２の１項に記載の管類アタッチメントシステム。
（項目４）
前記管のコイリングは、前記外力を生成し、前記捕捉構成要素を前記管類アタッチメント構成要素を中心として回転させ、それによって、前記管類アタッチメントシステムを中立位置に自己調節し、前記前記管のコイリングを軽減させる、項目１−３の１項に記載の管類アタッチメントシステム。
（項目５）
前記近位端部分は、前記管を固着するための半径方向外向きに延在する返しに遷移する円錐形本体を含み、前記遠位端部分は、前記ハンドピース上の対応する継手に係合するための継手を含む、項目１−４の１項に記載の管類アタッチメントシステム。
（項目６）
前記管類アタッチメント構成要素はさらに、前記円錐形本体と前記継手との間のフランジを含み、前記フランジは、前記円周方向溝のレールを形成する、項目５に記載の管類アタッチメントシステム。
（項目７）
前記捕捉構成要素はさらに、前記外部フレーム表面から外向きに延在し、別の管を保持するためのチャネルを形成する、一対のアームを含む、項目１−６の１項に記載の管類アタッチメントシステム。
（項目８）
医療装置との組み合わせにおける管類アタッチメントシステムであって、前記医療装置は、超音波外科手術用装置である、項目１−７の１項に記載の管類アタッチメントシステム。
（項目９）
ハンドピースと、管とを含む医療装置であって、前記管は、スイベルジョイントを通して前記ハンドピースに接続され、前記管が、前記管の軸方向変位を伴わずに、前記ハンドピースに対して円周方向に回転することを可能にする、医療装置。
（項目１０）
前記スイベルジョイントは、
縦方向貫通ボアおよび外部フレーム表面上の円周方向溝を含む管類アタッチメント構成要素と、
フレーム開口部および前記フレームの内部フレーム表面から内向きに延在する少なくとも１つの係止突出部を伴うフレームを含む捕捉構成要素と
を含み、
前記フレームは、前記管類アタッチメント構成要素の円周方向溝の中にスナップ嵌合され、前記管類アタッチメント構成要素を中心として回転することができ、
前記少なくとも１つの係止突出部は、前記捕捉構成要素および管類アタッチメント構成要素が所望の相対的位置に固定されることを可能にする、項目９に記載の医療装置。
（項目１１）
前記捕捉構成要素は、前記フレームの内部フレーム表面から半径方向内向きに延在する少なくとも３つの係止突出部を有する、項目１０に記載の医療装置。
（項目１２）
前記管類アタッチメント構成要素はさらに、前記管類アタッチメント構成要素の外部フレーム表面から延在するフランジを含む、項目９−１１の１項に記載の医療装置。
（項目１３）
前記捕捉構成要素はさらに、前記外部フレーム表面から外向きに延在し、別の管を保持するためのチャネルを形成する、一対のアームを含む、項目９−１２の１項に記載の医療装置。
（項目１４）
前記スイベルジョイントは、前記管が、捻転されると、中立位置に自己調節し、前記管の捻転を軽減させることを可能にする、項目９−１３の１項に記載の医療装置。
（項目１５）
項目９−１４の１項に記載の医療装置であって、前記医療装置は、超音波外科手術用装置であり、前記管は、潅注管または吸引管である、医療装置。
（項目１６）
ハンドピースと、前記ハンドピースの近位に接続されるための吸引管とを有する、超音波外科手術用装置と併用するための管類アタッチメントシステムであって、前記管類アタッチメントシステムは、
縦方向貫通ボアおよび外部フレーム表面上の円周方向溝を含む管類アタッチメント構成要素であって、前記管類アタッチメント構成要素は、前記吸引管に取り付けられるように構成される近位端部分および前記ハンドピースに取り付けられるように構成される遠位端部分を含む、管類アタッチメント構成要素と、
正面側および対向する背面側および前記正面側と前記背面側との間に延在する縦方向フレーム開口部を有するフレームを含む捕捉構成要素であって、前記縦方向フレーム開口部は、複数の係止突出部によって画定され、各係止突出部は、近位端および遠位遊離端を有し、前記近位端は、前記正面側に隣接する前記フレームから突出し、前記遠位遊離端は、前記背面側に隣接し、前記各係止突出部は、前記正面側から前記背面側へと前記縦方向フレーム開口部を狭める、捕捉構成要素と
を含み、
前記フレームの正面側と前記複数の係止突出部の遠位遊離端との間のフレームは、前記管類アタッチメント構成要素を中心とした前記捕捉構成要素の回転を可能にしながら、前記管類アタッチメント構成要素の円周方向溝の縦方向空間の間に縦方向に保持され、
前記複数の係止突出部は、閾値外力が前記管類アタッチメント構成要素に印加されると、前記捕捉構成要素が前記管類アタッチメント構成要素を中心として回転することを可能にする、管類アタッチメントシステム。
（項目１７）
前記捕捉構成要素はさらに、１つ以上の管を保持するための前記縦方向フレーム開口部から離れた半径方向位置におけるチャネルを含む、項目１６に記載の管類アタッチメントシステム。
（項目１８）
前記管類アタッチメント構成要素の近位端部分に接続されるハンドピースおよび吸引管を有する、超音波外科手術用装置との組み合わせにおける、項目１６−１７の１項に記載の管類アタッチメントシステム。
（項目１９）
前記管類アタッチメント構成要素はさらに、前記管類アタッチメント構成要素の外部フレーム表面から延在する少なくとも１つのフランジを含み、前記円周方向溝の縦方向空間を画定する、項目１６−１８の１項に記載の管類アタッチメントシステム。
（項目２０）
前記係止突出部はそれぞれ、前記係止突出部の前記近位端から前記遠位遊離端まで延在する、内向きに面した接触表面を含む、項目１６−１９の１項に記載の管類アタッチメントシステム。